(57)【要約】【課題】Ｇ−ｓｅｎｓｏｒ重力センサを介してユーザが起きたかどうかを検知し、且つユーザを起きるように効果的に知らせることができるスマートアラーム検知システム及び検知方法を提供すること【解決手段】本発明のスマートアラーム検知システムは、携帯電話機の中にインストールして実行され、ユーザが予め設定したアラーム時間になると、ベル又は振動の方式でユーザに当該アラーム時間になったことを知らせる。前記スマートアラーム検知システムは、主に重力センサを介して携帯電話機のＸ軸、Ｙ軸及びＺ軸における加速度をそれぞれ検出するための検知モジュールと、第一予定時間内において、Ｘ、Ｙ、Ｚの何れか１つの軸の加速度平均値が予定値より大きいかどうかに基づいて、ユーザが起きたかどうかを判断するための判断モジュールと、を備える。【選択図】図３
2014147064.tif 000002
【特許請求の範囲】
【請求項１】
携帯電話機の中にインストールされて実行されるスマートアラーム検知システムであって、
ユーザが予め設定したアラーム時間になると、ベル又は振動の方式によってユーザに当該アラーム時間になったことを知らせ、且つオフオプション及び繰り返しオプションのユーザインタフェースを提供するための提示モジュールと、
ユーザが選択した「オフオプション」又は「繰り返しオプション」の指令を受信するための受信モジュールと、
重力センサを介して前記携帯電話機のＸ軸、Ｙ軸及びＺ軸における加速度をそれぞれ検出するための検知モジュールと、
第一予定時間内において、Ｘ、Ｙ、Ｚの何れか１つの軸の加速度平均値が予定値より大きいかどうかに基づいて、ユーザが起きたかどうかを判断するための判断モジュールと、
ユーザがまだ起きておらず、且つ繰り返しオプションを選択している場合、前記携帯電話機のアラームの繰り返し機能を実行し、また、ユーザが既に起きたことを検知した場合、前記重力センサの検知機能及び前記携帯電話機のアラームの繰り返し機能を停止するための実行モジュールと、を備えることを特徴とするスマートアラーム検知システム。
【請求項２】
前記判断モジュールは、第二予定時間内において、前記Ｘ軸、前記Ｙ軸及び前記Ｚ軸の加速度が全て０であるかどうかに基づいて、前記アラームが有効であるかどうかを判断するためにも用いられ、前記第二予定時間は、前記第一予定時間より長いことを特徴とする請求項１に記載のスマートアラーム検知システム。
【請求項３】
前記実行モジュールは、前記第二予定時間内において、前記アラームが無効であると検出した場合、ユーザが予め指定した人物に短信を送って、当該人物によりユーザを起こすことを特徴とする請求項２に記載のスマートアラーム検知システム。
【請求項４】
前記加速度平均値とは、前記第一予定時間内において、前記重力センサが測定した何れか１つの軸のＮ回の加速度の総和と前記Ｎとの比であることを特徴とする請求項１に記載のスマートアラーム検知システム。
【請求項５】
携帯電話機の中に応用されるスマートアラームの検知方法であって、
ユーザが予め設定したアラーム時間になると、ベル又は振動の方式によってユーザに知らせ、且つオフオプション及び繰り返しオプションのユーザインタフェースを提供する提示ステップと、
ユーザが選択した「オフオプション」又は「繰り返しオプション」の指令を受信する受信ステップと、
重力センサを介して前記携帯電話機のＸ軸、Ｙ軸及びＺ軸における加速度をそれぞれ検出する検知ステップと、
第一予定時間内において、Ｘ、Ｙ、Ｚの何れか１つの軸の加速度平均値が予定値より大きいかどうかに基づいて、ユーザが起きたかどうかを判断する判断ステップと、
ユーザがまだ起きておらず、且つ繰り返しオプションを選択している場合、前記携帯電話機のアラームの繰り返し機能を実行し、また、ユーザが既に起きたことを検知した場合、前記重力センサの検知機能及び前記携帯電話機のアラームの繰り返し機能を停止するための実行ステップと、を備えることを特徴とするスマートアラーム検知方法。
【請求項６】
前記判断ステップは、第二予定時間内において、前記Ｘ軸、前記Ｙ軸及び前記Ｚ軸の加速度が全て０であるかどうかに基づいて、前記アラームが有効であるかどうかをさらに判断し、
前記Ｘ軸、前記Ｙ軸及び前記Ｚ軸の加速度が全て０である場合、前記アラームが無効であると判断し、
前記第二予定時間は、前記第一予定時間より長いことを特徴とする請求項５に記載のスマートアラーム検知方法。
【請求項７】
前記実行ステップは、前記第二予定時間内において、前記アラームが無効であると検出した場合、ユーザが予め指定した人物に短信を送って、当該人物によりユーザを起こすことを特徴とする請求項６に記載のスマートアラーム検知方法。
【発明の詳細な説明】
【技術分野】
【０００１】
本発明は、アラーム検知システムに関し、特にスマートアラーム検知システム及び検知方法に関するものである。
【背景技術】
【０００２】
現在、携帯電話機の機能は益々多様化し、ほぼ全ての携帯電話機にアラーム機能が設けられている。ユーザは、携帯電話機のアラームの時間を設定して、起きる時間又はスケジュールを知らせる。しかし、通常の携帯電話機は、アラームが鳴った後、繰り返し能及びオフ機能のみしか備えていないため、ユーザは夢を見ていることで誤って押しボタンを押してしまうか又は選択画面に触れてしまい、アラームをオフにしてしまう問題が度々発生している。これにより、遅刻するか又は重要事項を忘れてしまうことがある。
【発明の概要】
【発明が解決しようとする課題】
【０００３】
上記の問題点に鑑みて、本発明は、Ｇ−ｓｅｎｓｏｒ重力センサを介してユーザが起きたかどうかを検知し、且つユーザが起きるように効果的に知らせることができるスマートアラーム検知システム及び検知方法を提供することを目的とする。
【課題を解決するための手段】
【０００４】
上記の目的を達成するために、本発明に係るスマートアラーム検知システムは、携帯電話機の中にインストールされて実行される。ユーザが予め設定したアラーム時間になると、ベル又は振動の方式によってユーザに知らせ、且つオフオプション及び繰り返しオプションのユーザインタフェースを提供するための提示モジュールと、ユーザが選択した「オフオプション」又は「繰り返しオプション」の指令を受信するための受信モジュールと、重力センサを介して前記携帯電話機のＸ軸、Ｙ軸及びＺ軸における加速度をそれぞれ検出するための検知モジュールと、第一予定時間内において、Ｘ、Ｙ、Ｚの何れか１つの軸の加速度平均値が予定値より大きいかどうかに基づいて、ユーザが起きたかどうかを判断するための判断モジュールと、ユーザがまだ起きておらず、且つ繰り返しオプションを選択している場合に、前記携帯電話機のアラームの繰り返し機能を実行し、また、ユーザが既に起きたことを検知した場合、前記重力センサの検知機能及び前記携帯電話機のアラームの繰り返し機能を停止するための実行モジュールと、を備える。
【０００５】
また、上記の目的を達成するために、本発明に係るスマートアラーム検知方法は、携帯電話機の中に応用されて、ユーザが予め設定したアラーム時間になると、ベル又は振動の方式によってユーザに知らせ、且つオフオプション及び繰り返しオプションのユーザインタフェースを提供する提示ステップと、ユーザが選択した「オフオプション」又は「繰り返しオプション」の指令を受信する受信ステップと、重力センサを介して前記携帯電話機のＸ軸、Ｙ軸及びＺ軸における加速度をそれぞれ検出する検知ステップと、第一予定時間内において、Ｘ、Ｙ、Ｚの何れか１つの軸の加速度平均値が予定値より大きいかどうかに基づいて、ユーザが起きたたかどうかを判断する判断ステップと、ユーザがまだ起きておらず、且つ繰り返しオプションを選択している場合、前記携帯電話機のアラームの繰り返し機能を実行し、また、ユーザが既に起きたことを検知した場合、前記重力センサの検知機能及び前記携帯電話機のアラームの繰り返し機能を停止するための実行ステップと、を備える。
【発明の効果】
【０００６】
従来の技術と異なり、本発明のスマートアラーム検知方法は、Ｇ−ｓｅｎｓｏｒ重力感応部品を介してユーザがアラームにより起きたかどうかを検知し、且つ持続的にアラームを繰り返す又はユーザが予め指定した人物に短信を送ることによって、ユーザを効果的に起こすことができる。
【図面の簡単な説明】
【０００７】
【図１】本発明に係るスマートアラーム検知システムの実行環境を示す図である。
【図２】図１に示したスマートアラーム検知システムの機能モジュールを示す図である。
【図３】本発明の第一実施形態に係るスマートアラーム検知方法のフローチャートである。
【図４】本発明の第二実施形態に係るスマートアラーム検知方法のフローチャートである。
【発明を実施するための形態】
【０００８】
図１に示すように、本発明の実施形態に係るスマートアラームの検知システム１１は、重力センサ１０を備える携帯電話機１の中にインストールされて実行される。携帯電話機１は、アラーム機能を有する。重力センサ１０は、Ｇ−ｓｅｎｓｏｒ重力感応部品を介して携帯電話機１が所定の時間帯において移動されたかどうかを探知することによって、ユーザが携帯電話機１のアラームによって起きたかどうかを判断する。ユーザが起きていないと判断した場合、携帯電話機１はベルを鳴らす又は振動の方式によって再度ユーザに知らせる。
【０００９】
前記Ｇ−ｓｅｎｓｏｒ重力感応部品は、運動又は重力を電気信号に変換できるような加速度センサである。運動中の加速度は、センサの内部の媒質の変形をもたらし、また、圧電効果によって、電気回路における媒質の変形量は電圧に変換されて出力される。従って、電圧と加えられた加速度との間の関係を計算するだけで、前記加速度を電圧に変換して出力することができる。本実施形態において、携帯電話機１の中の重力センサ１０は、Ｘ、Ｙ、Ｚの三軸の重力感応部品を利用して、前記Ｘ、Ｙ、Ｚの三つの軸の加速度を検知する。前記Ｘ、Ｙ及びＺ軸は、携帯電話機１のスクリーンを水平面として構築されるものである。具体的には、携帯電話機１のスクリーンの横軸をＸ軸とし、前記スクリーンの縦軸をＹ軸とし、前記スクリーンに対して垂直な法線方向をＺ軸とする。
【００１０】
本実施形態において、スマートアラーム検知システム１１は、１つ又は複数のモジュールに分割されている。前記モジュールは、ある特定の機能を実現するためのプログラムである。前記プログラムが携帯電話機１の読み込み可能なメモリー或いは他の記憶装置の中に格納された後、携帯電話機の処理ユニットを介して実行されることによって、本発明の携帯電話機１のスマートアラーム検知方法のフローチャートは完成する。
【００１１】
図２に示すように、スマートアラーム検知システム１１は、提示モジュール１１０と、受信モジュール１１１と、検知モジュール１１２と、判断モジュール１１３と、実行モジュール１１４と、を備える。各モジュールの機能について、図３及び図４のスマートアラーム検知方法のフローチャートを介して具体的に説明する。
【００１２】
図３に示すように、本発明の第一実施形態に係るスマートアラーム検知方法は、以下のステップＳ１０〜Ｓ１７を備える。
【００１３】
ステップＳ１０において、ユーザが予め設定したアラーム時間になると、提示モジュール１１０は、ベル又は振動の方式によってユーザに知らせ、且つオフオプション及び繰り返しオプションのユーザインタフェースを提供する。ユーザは、前記２種類のユーザインタフェースを選択することにより、携帯電話機１のアラームを管理する。
【００１４】
ステップＳ１１において、受信モジュール１１１は、ユーザが選択した「オフオプション」又は「繰り返しオプション」の指令を受信する。前記オフオプションは、アラームをオフするオプションであり、前記繰り返しオプションは、数分後に再びベル又は振動の方式によってユーザに知らせるオプションである。
【００１５】
ステップＳ１２において、検知モジュール１１２は、Ｇ−ｓｅｎｓｏｒ重力感応部品を起動して、当該Ｇ−ｓｅｎｓｏｒ重力感応部品を介して携帯電話機における前記Ｘ、Ｙ、Ｚ軸の加速度をそれぞれ検出する。
【００１６】
ステップＳ１３において、判断モジュール１１３は、第一予定時間内において、Ｘ、Ｙ、Ｚの何れか１つの軸の加速度平均値が予定値より大きいかどうかに基づいて、ユーザが起きたかどうかを判断する。前記加速度平均値とは、前記第一予定時間内において、重力センサ１０が測定した何れか１つの軸のＮ回の加速度の総和と前記Ｎとの比である。前記第一予定時間内に、Ｘ、Ｙ、Ｚの何れか１つの軸の加速度平均値が予定値より大きい場合、ユーザは既に起きたと判断して、ステップＳ１５に移る。また、前記第一予定時間内に、Ｘ、Ｙ、Ｚの何れか１つの軸の加速度平均値が予定値より小さい場合、ユーザはまだ起きていないと判断して、ステップＳ１４に移る。前記第一予定時間は、５分間又はユーザにより設定された任意の数字である。
【００１７】
ステップＳ１４において、判断モジュール１１３は、受信モジュール１１１が受信した指令が「オフオプション」であるかどうかを判断する。オフオプションである場合、ステップＳ１６に移る。繰り返しオプションである場合、ステップＳ１７に移る。
【００１８】
ステップＳ１５において、実行モジュール１１４は、ユーザが既に起きたと検知すると、重力センサ１０の検知機能及び携帯電話機１の繰り返し機能を停止する。
【００１９】
ステップＳ１６において、実行モジュール１１４は、ユーザがまだ起きておらず、且つオフオプションを選択している場合、再びベル又は振動の方式によってユーザに知らせる。
【００２０】
ステップＳ１７において、実行モジュール１１４は、ユーザがまだ起きておらず、且つ繰り返しオプションを選択している場合、携帯電話機１の繰り返し機能を継続して実行する。
【００２１】
図４に示すように、本発明の第二実施形態に係るスマートアラーム検知方法は、以下のステップＳ３０〜Ｓ３３を備える。
【００２２】
ステップＳ３０において、ユーザが予め設定したアラーム時間になると、提示モジュール１１０はベル又は振動の方式によってユーザに知らせ、且つオフオプション及び繰り返しオプションのユーザインタフェースを提供する。ユーザは、前記２種類のユーザインタフェースを選択することにより、携帯電話機１のアラームを管理する。
【００２３】
ステップＳ３１において、検知モジュール１１２は、Ｇ−ｓｅｎｓｏｒ重力感応部品を起動し、当該Ｇ−ｓｅｎｓｏｒ重力感応部品を介して携帯電話機がＸ、Ｙ、Ｚとの３軸の加速度をそれぞれ検出する。
【００２４】
ステップＳ３２において、判断モジュール１３は、第二予定時間内において、前記Ｘ、Ｙ、Ｚの３軸の加速度が全て０であるかどうかに基づいて、アラームが有効であるかどうか（つまり、ユーザが起きているかどうか）を判断する。前記第二予定時間内において、Ｘ軸、Ｙ軸及びＺ軸の加速度が全て０である場合、アラームは無効であるとし、ステップＳ３３に移る。前記第二予定時間は、前記第一予定時間より長い。
【００２５】
ステップＳ３３において、実行モジュール１１４は、ユーザが予め指定した人物に短信を送って、該予め指定した人物によってユーザを起こす。
【００２６】
上記の記載から分かるように、本発明の第一実施形態において、ステップＳ１０ないしステップＳ１７を繰り返して実行し、Ｇ−ｓｅｎｓｏｒ重力感応部品を介してユーザが起きたかどうかを検知し、且つ起きていない場合は、ユーザが起きるよう持続的にアラームを鳴らす。また、本発明の第二実施形態において、ステップＳ３０ないしステップＳ３３を実行して、第二予定時間内において、Ｇ−ｓｅｎｓｏｒ重力感応部品を介して第一実施形態に記載したようなユーザに知らせる方法が無効であると検出した場合、ユーザが予め指定した人物に短信を送ることによって、該ユーザが予め指定した人物により携帯電話機１を持つユーザを起こす。
【符号の説明】
【００２７】
１  携帯電話機
１０  重力センサ
１１  スマートアラーム検知システム
１１０  提示モジュール
１１１  受信モジュール
１１２  検知モジュール
１１３  判断モジュール
１１４  実行モジュール
【図１】
2014147064.tif 000003
【図２】
2014147064.tif 000004
【図３】
2014147064.tif 000005
【図４】
2014147064.tif 000006